(57)【要約】【課題】１つの撮像素子で観察対象部位の撮像および測定対象部位の分光測定を容易に行うことが可能な光学ユニットおよび内視鏡装置を提供する。【解決手段】光学ユニット１３５は、観察対象部位の撮像光を受光する撮像領域１５４（第１受光領域）、および測定対象部位の放射光を受光する分光領域１５２（第２受光領域）が同一受光面上に形成された撮像素子１５０と、撮像領域１５４に撮像光を導光する撮像光学系１８０と、分光領域１５２に放射光を導光する分光光学系１６０と、撮像光学系１８０および分光光学系１６０を観察対象部位に対して並列になるように収容する筐体１９０とを備える。撮像光学系１８０の光路上には、通過する光束の面積を制限する開口部１８２ａを有する遮光マスク１８２が配置されている。【選択図】図３
2014046075.tif 000002
【特許請求の範囲】
【請求項１】
体内管腔の観察対象部位の撮像光および当該体内管腔の測定対象部位の放射光を受光する光学ユニットであって、
前記観察対象部位の撮像光を受光する第１受光領域、および前記測定対象部位の放射光を受光する第２受光領域が同一受光面上に形成された撮像素子と、
前記第１受光領域に前記撮像光を導光する撮像光学系と、
前記第２受光領域に前記放射光を導光する分光光学系と、
前記撮像光学系および前記分光光学系を、前記観察対象部位に対して並列になるように収容する筐体と、
を備え、
前記撮像光学系の光路上には、通過する光束の面積を制限する開口部を有する遮光マスクが配置されている光学ユニット。
【請求項２】
前記撮像光学系は、１枚の対物レンズ又は複数枚のレンズからなる対物光学系を有しており、該対物レンズ又は対物光学系の焦点位置に前記遮光マスクが配置されている請求項１に記載の光学ユニット。
【請求項３】
前記撮像素子はモノクロタイプの撮像素子である請求項１又は請求項２に記載の光学ユニット。
【請求項４】
請求項１又は２に記載の光学ユニットを有する内視鏡本体と、
前記内視鏡本体に接続され、前記第１受光領域で撮像された前記観察対象部位の撮像データを処理し、前記第２受光領域で分光測定された前記測定対象部位の分光測定データを処理する内視鏡プロセッサーと、
を備える内視鏡装置。
【発明の詳細な説明】
【技術分野】
【０００１】
本発明は、光学ユニットおよび内視鏡装置に関する。
【背景技術】
【０００２】
体内管腔の観察対象部位を撮像するだけでなく、測定対象部位に励起光を照射することで測定対象部位から放射される放射光である自家蛍光を分光してそのスペクトルデータの取得（測定対象部位の分光測定）が可能な内視鏡装置が知られている。
【０００３】
かかる内視鏡装置において、観察対象部位の撮像に用いる撮像素子（例えばＣＣＤ（Ｃｈａｒｇｅ  Ｃｏｕｐｌｅｄ  Ｄｅｖｉｃｅ））を測定対象部位の分光測定にも用いることが、例えば特許文献１に記載されている。
【０００４】
特許文献１に記載の内視鏡装置では、撮像素子の受光面が撮像用および分光測定用の２つの領域に分けられている。そして、分光測定用領域を構成する個々のサブ領域に異なる波長の蛍光を入射させるように構成されたフィルターが、分光測定用領域を覆って配置されている。この分光目的のフィルター（以下、「分光フィルター」という）は、個々のサブ領域に合わせて千鳥格子状に複数の微小区域に分けられている。例えば、あるサブ領域に対応する区域では３５０±２．５［ｎｍ］の光が透過され、その隣のサブ領域に対応する区域では３５５±２．５［ｎｍ］の光が透過される。このように、この分光フィルターは、一定幅の波長帯を有する蛍光を５［ｎｍ］刻みで分光し、各分割波長帯の蛍光を、撮像素子に設けられた分光測定用領域内の別々のサブ領域に入射させる。
【先行技術文献】
【特許文献】
【０００５】
【特許文献１】特開２００５−１８５５１３号公報
【発明の概要】
【発明が解決しようとする課題】
【０００６】
特許文献１に記載の技術では、自家蛍光の特定の波長について強度を得る（分光する）ため、細かく分割されている波長領域毎のバンドパスフィルターを撮像素子の上に直接貼り付け、各バンドパスフィルターを通して得られた蛍光の強度から、波長領域毎の蛍光の強度、すなわちスペクトル分布を得ていた。しかしながら、波長領域が細かく分かれているバンドパスフィルターを製造することは非常に困難である。また、製造できたとしても、各バンドパスフィルターを、各波長領域に対応した撮像素子上の画素に実装することは技術的に非常に難しい。また、特許文献１に記載される電子内視鏡装置では、一つのレンズを測定と撮像とで共用するとともに、ビームスプリッタ及び全反射ミラーによって、内視鏡の長手方向に順に並べた測定領域と撮像領域とにそれぞれ測定光と撮像光とを入射させるようにしている。しかしながら、ビームスプリッタを用いて蛍光を測定領域に導くと蛍光の光量をロスしやすく、微弱な蛍光の測定には不利である。また、特定波長の蛍光のみを反射し、その他の波長域の光を透過するような性能を持つビームスプリッタを作製するのは難易度が高くコストアップに繋がりやすい。さらに、一部の蛍光がビームスプリッタを通過し、全反射ミラーによって反射された後、撮像領域ではなく測定領域に入射してしまう可能性もある。
【０００７】
本発明は、上記従来技術の問題点を解消し、１つの撮像素子で観察対象部位の撮像および測定対象部位の分光測定を容易に行うことが可能な光学ユニットおよび内視鏡装置を提供することを目的とする。
【課題を解決するための手段】
【０００８】
本発明に係る光学ユニットは、
体内管腔の観察対象部位の撮像光および当該体内管腔の測定対象部位の放射光を受光する光学ユニットであって、
前記観察対象部位の撮像光を受光する第１受光領域、および前記測定対象部位の放射光を受光する第２受光領域が同一受光面上に形成された撮像素子と、
前記第１受光領域に前記撮像光を導光する撮像光学系と、
前記第２受光領域に前記放射光を導光する分光光学系と、
前記撮像光学系および前記分光光学系を、前記観察対象部位に対して並列になるように収容する筐体と、
を備え、
前記撮像光学系の光路上には、通過する光束の面積を制限する開口部を有する遮光マスクが配置されている。
本発明に係る内視鏡装置は、
上記光学ユニットを有する内視鏡本体と、
前記内視鏡本体に接続され、前記第１受光領域で撮像された前記観察対象部位の撮像データを処理し、前記第２受光領域で分光測定された前記測定対象部位の分光測定データを処理する内視鏡プロセッサーと、
を備える。
【発明の効果】
【０００９】
本発明によれば、１つの撮像素子で観察対象部位の撮像および測定対象部位の分光測定を容易に行うことが可能な光学ユニットおよび内視鏡装置を提供することができる。
【図面の簡単な説明】
【００１０】
【図１】本実施の形態における内視鏡装置の構成を示す図である。
【図２】本実施の形態における挿入部の先端部の構成を示す図である。
【図３】本実施の形態における挿入部の内部構成を示す図である。
【図４】本実施の形態における撮像および分光測定動作を示すフローチャートである。
【発明を実施するための形態】
【００１１】
以下、本実施の形態を図面に基づいて詳細に説明する。
［内視鏡装置１０の構成］
図１に示す内視鏡装置１０は、内視鏡本体１００および内視鏡プロセッサー２００を備える。内視鏡本体１００は、体内管腔に導入可能に形成された可撓性を有する長尺の挿入部１１０と、挿入部１１０の基端部１１０ａに設けられた操作部１２０と、操作部１２０を介して挿入部１１０と内視鏡プロセッサー２００とを通信可能に接続するケーブル１３０とを備える。
【００１２】
挿入部１１０は、管腔内部を進入する際に管腔の湾曲に応じて容易に湾曲可能な可撓性を、挿入部１１０の略全長にわたって有する。また、挿入部１１０は、操作部１２０のノブ１２０ａの操作に従って先端部１１０ｂ側の一定範囲（操作可能部１１０ｃ）を任意の角度で湾曲させることができる機構（図示せず）を有する。
【００１３】
挿入部１１０の先端部１１０ｂには、図２に示すように、第１照明窓１１１、第２照明窓１１２、第１観察窓１１３、第２観察窓１１４および鉗子チャンネル１１５が配設されている。
【００１４】
第１照明窓１１１は、例えば対物レンズであり、内視鏡プロセッサー２００から導光された照明光を体内管腔の観察対象部位に照射する。第２照明窓１１２は、例えば対物レンズであり、内視鏡プロセッサー２００から導光された励起光を体内管腔の測定対象部位に照射する。
【００１５】
第１観察窓１１３は、第１照明窓１１１から観察対象部位に照明光が照射された場合、観察対象部位からの反射光を撮像光として取り込む。第１観察窓１１３は、例えば、１枚の対物レンズ又は複数枚のレンズからなる対物光学系である。第２観察窓１１４は、第２照明窓１１２から測定対象部位に励起光が照射された場合、測定対象部位からの反射光および励起光を照射した結果として測定対象部位から放射される放射光である自家蛍光を受光光として取り込む。第２観察窓１１４は、例えば、１枚の対物レンズ又は複数枚のレンズからなる対物光学系である。
【００１６】
鉗子チャンネル１１５は、操作部１２０に形成された導入口１２０ｂと連通するように挿入部１１０に形成された内腔である。鉗子チャンネル１１５には、病変部の観察、病変部の診断および病変部の手術等を行うための様々な機器を挿通することができる。
【００１７】
［挿入部１１０の内部構成］
次に、図３（ａ），（ｂ）を参照し、挿入部１１０の内部構成について説明する。図３（ｂ）は、挿入部１１０の内部に設けられた主要構成（分光光学系１６０、撮像光学系１８０および撮像素子１５０）を概略的に示す図である。
【００１８】
挿入部１１０は、第１照明窓１１１、第２照明窓１１２、鉗子チャンネル１１５、照明光ファイバー１４０、励起光ファイバー１４２および光学ユニット１３５を有する。
【００１９】
照明光ファイバー１４０は、挿入部１１０内に収容された１本の光ファイバーまたは複数本の光ファイバーの束であり、内視鏡プロセッサー２００内で生成された照明光を挿入部１１０の先端部１１０ｂ近傍まで導光する。照明光ファイバー１４０の端面は第１照明窓１１１に対向して配置されているため、照明光ファイバー１４０から射出された照明光は、第１照明窓１１１を介して体内管腔の観察対象部位に照射される。
【００２０】
励起光ファイバー１４２は、挿入部１１０内に収容された１本の光ファイバーまたは複数本の光ファイバーの束であり、内視鏡プロセッサー２００内で生成された励起光を挿入部１１０の先端部１１０ｂ近傍まで導光する。励起光ファイバー１４２の端面は第２照明窓１１２に対向して配置されているため、励起光ファイバー１４２から射出された励起光は、第２照明窓１１２を介して体内管腔の測定対象部位に照射される。
【００２１】
観察対象部位または測定対象部位に対して照明光または励起光が照射されたときの観察対象部位または測定対象部位からの光は、光学ユニット１３５を通過することで、挿入部１１０に受光される。
【００２２】
光学ユニット１３５は、ＣＣＤやＣＭＯＳ（Ｃｏｍｐｌｅｍｅｎｔａｒｙ  Ｍｅｔａｌ  Ｏｘｉｄ  Ｓｅｍｉｃｏｎｄｕｃｔｏｒ）イメージセンサからなる撮像素子１５０と、分光光学系１６０と、撮像光学系１８０と、分光光学系１６０および撮像光学系１８０を観察対象部位に対して並列になるように収容する例えば樹脂性の筐体１９０とを備える。
【００２３】
分光光学系１６０は、励起光の照射によって測定対象部位から発せられる自家蛍光を分光して撮像素子１５０の分光領域１５２（第２受光領域）に導光する。
【００２４】
撮像光学系１８０は、照明光の照射によって観察対象部位から発せられた撮像光を撮像素子１５０の撮像領域１５４（第１受光領域）に導光する。
【００２５】
分光光学系１６０は、第２観察窓１１４、バンドパスフィルター１６２、スリット１６４、コリメートレンズ１６６、回折格子１６８および集光レンズ１７０を有する。
【００２６】
第２観察窓１１４は、励起光の照射によって測定対象部位から発せられる受光光（反射した励起光および自家蛍光）を集光する。
【００２７】
バンドパスフィルター１６２は、特定波長の光のみを透過し、それ以外の光を反射する特性を有する光学フィルターである。このようなフィルターを設けることにより、不要な光成分を除去することができる。本実施の形態では、バンドパスフィルター１６２は、第２観察窓１１４により集光された受光光のうち、測定対象となる自家蛍光のみを透過させる。
【００２８】
スリット１６４は、矩形状に形成されており、回折格子１６８に入射させる光の幅を調整する。
【００２９】
コリメートレンズ１６６は、スリット１６４からの光束を略平行な光束に変換する。
【００３０】
回折格子１６８は、透過型の回折格子であり、コリメートレンズ１６６を通過した光を各波長に分解（分光）して集光レンズ１７０に向け射出する。
【００３１】
集光レンズ１７０は、回折格子１６８により分光された各波長の光を集光して撮像素子１５０の分光領域１５２に射出する。
【００３２】
撮像光学系１８０は、第１観察窓１１３、遮光マスク１８２および集光レンズ１８４を有する。
【００３３】
第１観察窓１１３は、照明光の照射によって観察対象部位から発せられる撮像光を集光する。
【００３４】
遮光マスク１８２は、黒色などの不透明材料からなる枠体であり、撮像光学系１８０の光路上において例えば第１観察窓１１３の焦点位置に配置されている。遮光マスク１８２には、通過する光束の面積を制限する四角形状の開口部１８２ａが設けられている。開口部１８２ａの面積は、図３（ｂ）に示すように、レンズ（第１観察窓１１３、集光レンズ１８４）の形状および焦点位置、レンズ製造における公差、撮像光学系１８０の組み立て公差等を考慮し、集光レンズ１８４を通過した光が届く範囲（光線到達領域Ａ）が撮像素子１５０の分光領域１５２に達しないように設計されている。なお、開口部１８２ａの形状は、円形状、四角形以外の多角形状等の任意形状でも良い。要は、撮像光学系１８０に入射した光が分光領域１５２に到達するのを防止できる形状であれば良い。
【００３５】
集光レンズ１８４は、遮光マスク１８２を通過した撮像光を集光して撮像素子１５０の撮像領域１５４に射出する。
【００３６】
本実施の形態においては、撮像光学系１８０および分光光学系１６０が、観察対象部位に対して並列に配置されており、それぞれが独立して導光を行うため、ビームスプリッタなどの光学的分離素子を介することなく撮像素子１５０へと導光することができる。従って、測定対象部位から放射される放射光がビームスプリッタでロスすることが回避され、微弱な蛍光の測定に有利である。また、ビームスプリッタのような光学的分離素子が不要であり、構成が簡素化されコストアップも抑制することができる。なお、本実施の形態において、分光を行う回折格子１６８は、透過型であるが、反射型であっても良い。また、分光を行う光学素子として、回折格子１６８の代わりにプリズムを使用しても良い。また、光の幅を調整する光学素子として、スリット１６４の代わりにピンホールを使用しても良い。
【００３７】
撮像素子１５０は、回路基板１５６上に設けられ、分光領域１５２及び撮像領域１５４における各画素上にカラーフィルタが設けられていないモノクロタイプのものである。撮像素子１５０では、四角形状の分光領域１５２および撮像領域１５４が同一受光面上に形成されている。撮像素子１５０は、撮像光学系１８０を通過した撮像光および、分光光学系１６０を通過した自家蛍光が何れも受光面１５０ａに入射して受光面１５０ａ上で結像されるように、配置されている。撮像素子１５０は、結像された光を光電変換することによって画像情報や測定情報を表す電気信号を得る。生成された電気信号は、内視鏡プロセッサー２００内へ伝送される。
【００３８】
ここで、撮像光学系１８０を通過した撮像光は、分光されずに、受光面１５０ａに設けられた撮像領域１５４に入射する。よって、撮像領域１５４に入射した撮像光から得られる画像信号（以下、「撮像信号」という）は、照明光が照射された観察対象部位の像を表すものであり、観察対象部位の画像または映像の表示に用いることができる。一方、分光光学系１６０を通過した自家蛍光は、分光された上で、受光面１５０ａに設けられた分光領域１５２において波長成分毎に異なる位置に結像される。つまり、分光領域１５２を構成する各画素は、自家蛍光を波長成分毎の強度として検出することができる。よって、分光領域１５２に入射した自家蛍光から得られる測定信号（以下、「分光測定信号」という）は、自家蛍光のスペクトルを表すものであり、測定対象部位からの自家蛍光のスペクトルデータ取得に用いることができる。
なお、後述するように、撮像には白色光などの広帯域の波長光を照明光として用いる。自家蛍光の測定の際に、撮像用の照明光が入射すると、正確な測定を行うことができないので、測定時には照明光は消灯する。照明光を消灯した状態で、励起光を照射すると、分光光学系１６０だけでなく撮像光学系１８０にも放射光（ここでは自家蛍光）が入射する。撮像光学系１８０に入射した放射光が分光領域１５２に侵入すると、測定データが不正確になる恐れがある。これを防止するために撮像光学系１８０よりも先端側にシャッタを設けることも考えられるが、コストアップや構成の複雑化・大型化に繋がる。そこで、本実施形態においては、撮像光学系１８０の光路上に、通過する光束の面積を制限する開口部を有する遮光マスク１８２を配置することにより、撮像光学系１８０よりも先端側にシャッタを設けることなく、撮像光学系１８０に入射した放射光が分光領域１５２に侵入するのを防止している。
【００３９】
なお、撮像領域１５４は、分光領域１５２と比べて、できるだけ広い方が望ましく、分光領域１５２を構成する画素は最低１ラインあれば良い。ただし、分光測定の対象となる自家蛍光の強度が弱い場合には、分光領域１５２を構成する画素のライン数を増やすことで分光領域１５２全体の感度を上げることが望ましい。
【００４０】
［内視鏡プロセッサー２００の構成］
次に、内視鏡プロセッサー２００の構成について説明する。内視鏡プロセッサー２００は、制御部２１０、メモリ２１２、光源部２２０、分光解析部２３０および画像処理部２４０を備える。内視鏡プロセッサー２００には、入力装置３００およびモニター４００が接続されている。
【００４１】
入力装置３００は、内視鏡プロセッサー２００に対するユーザーの指示を入力する。本実施の形態では、入力装置３００は、例えば、キーボード、マウスまたはスイッチ等により構成される。モニター４００は、例えば液晶ディスプレイ等であり、内視鏡プロセッサー２００から出力された画像データを入力して各種画像を表示する。
【００４２】
制御部２１０は、内視鏡プロセッサー２００の各ブロックの動作を制御する。
【００４３】
光源部２２０は、照明光光源２２２および励起光光源２２４を備える。照明光光源２２２は、内視鏡プロセッサー２００の起動後、体内管腔の観察観察対象部位（例えば病変部）を照らす画像撮影モードの実行指示が入力装置３００に入力された場合、観察用の照明光を発光する。照明光光源２２０としては、白色光などの広帯域の光を発生するものを用いる。内視鏡本体１００の挿入部１１０は、体内管腔に導入されている場合、照明光光源２２２から発光された照明光を導光し、観察対象部位へ出射する。
【００４４】
励起光光源２２４は、体内管腔の測定対象部位（例えば病変部）を検査する分光測定モードの実行指示が入力装置３００に入力された場合、キセノン光等の光源を発光させ、バンドパスフィルター等により特定の波長の励起光を得るものである。内視鏡本体１００の挿入部１１０は、体内管腔に導入されている場合、励起光光源２２４から発光された励起光を導光し、測定対象部位へ出射する。
【００４５】
分光解析部２３０は、内視鏡本体１００の挿入部１１０（撮像素子）から伝送された分光測定信号に基づいて、体内管腔の測定対象部位における病変の有無や種類について解析する。そして、制御部２１０は、解析結果を示す解析結果画像データをモニター４００に出力することによって、解析結果画像をモニター４００に表示させる。ユーザーは、モニター４００に表示された解析結果画像を見ることによって、病変の広がりや病気の程度を評価することができる。
【００４６】
メモリ２１２は、内視鏡プロセッサー２００に内蔵されたＨＤＤ（Ｈａｒｄ  Ｄｉｓｋ  Ｄｒｉｖｅ）等の記憶装置である。メモリ２１２は、制御部２１０による解析結果等を記憶する。なお、メモリ２１２は、内視鏡プロセッサー２００に内蔵されたものでなくても良く、例えば内視鏡プロセッサー２００に外付けされたものであっても良いし、あるいは通信ネットワーク上に存在するものであっても良い。
【００４７】
画像処理部２４０は、内視鏡本体１００の挿入部１１０（撮像素子）から撮像信号を受信し、この撮像信号に対して所定の信号処理を行う。制御部２１０は、処理後の信号を内視鏡映像信号としてモニター４００に出力する。これにより、体内管腔の観察対象部位が撮像されると、内視鏡映像信号に基づく内視鏡映像がモニター４００の画面上に表示される。
【００４８】
［内視鏡装置１０における撮像および分光測定動作］
次に、図４のフローチャートを参照し、内視鏡装置１０における撮像および分光測定動作を説明する。図４のステップＳ１００は、体内管腔の観察観察対象部位を照らす画像撮影モードの実行指示が入力装置３００に入力されることによって開始する。
【００４９】
まず、照明光光源２２２は、観察用の照明光を発光する（ステップＳ１００）。照明光光源２２２から発光された照明光は、内視鏡本体１００の挿入部１１０を介して、観察対象部位へ出射される。次に、画像処理部２４０は、内視鏡本体１００の挿入部１１０（撮像素子）から撮像信号を受信し、この撮像信号に対して所定の信号処理を行う（ステップＳ１２０）。
【００５０】
次に、制御部２１０は、処理後の信号を内視鏡映像信号としてモニター４００に出力することによって、内視鏡映像信号に基づく内視鏡映像がモニター４００の画面上に表示させる（ステップＳ１４０）。次に、制御部２１０は、体内管腔の測定対象部位を検査する分光測定モードの実行指示が入力装置３００に入力されたか否かについて判定する（ステップＳ１６０）。この判定の結果、分光測定モードの実行指示が入力されていない場合（ステップＳ１６０、ＮＯ）、処理はステップＳ１２０の前に戻る。
【００５１】
一方、分光測定モードの実行指示が入力された場合（ステップＳ１６０、ＹＥＳ）、照明光光源２２２は、照明光の発光動作を終了する（ステップＳ１８０）。次に、励起光光源２２４は、励起光を発光する（ステップＳ２００）。励起光光源２２４から発光された励起光は、内視鏡本体１００の挿入部１１０を介して、測定対象部位へ出射される。
【００５２】
次に、分光解析部２３０は、内視鏡本体１００の挿入部１１０（撮像素子）から伝送された分光測定信号に基づいて、管腔内の測定対象部位における病変の有無や種類について解析する（ステップＳ２２０）。次に、制御部２１０は、解析結果を示す解析結果画像データをモニター４００に出力することによって、解析結果画像をモニター４００に表示させる（ステップＳ２４０）。
【００５３】
次に、制御部２１０は、ステップＳ２００における励起光の発光後、所定時間（例えば、数秒間）が経過したか否かについて判定する（ステップＳ２６０）。この判定の結果、所定時間が経過していない場合（ステップＳ２６０、ＮＯ）、処理はステップＳ２２０の前に戻る。
【００５４】
一方、所定時間が経過した場合（ステップＳ２６０、ＹＥＳ）、励起光光源２２４は、励起光の発光動作を終了する（ステップＳ２８０）。その後、処理はステップＳ１００の前に戻り、内視鏡プロセッサー２００の動作モードは、分光測定モードから画像撮影モードに遷移する。
【００５５】
［本実施の形態における効果］
以上詳しく説明したように、本実施の形態における光学ユニット１３５は、観察対象部位の撮像光を受光する撮像領域１５４（第１受光領域）、および測定対象部位の自家蛍光を受光する分光領域１５２（第２受光領域）が同一受光面上に形成された撮像素子１５０と、撮像領域１５４に撮像光を導光する撮像光学系１８０と、分光領域１５２に自家蛍光を導光する分光光学系１６０と、撮像光学系１８０および分光光学系１６０を観察対象部位に対して並列になるように収容する筐体１９０とを備える。
【００５６】
このように構成した本実施の形態によれば、自家蛍光を分光する手段として分光光学系１６０を用いることにより、細かく分割されている波長領域毎のバンドパスフィルターを撮像素子１５０の上に貼り付けることなく、測定対象部位からの自家蛍光のスペクトルデータを取得することができる。よって、１つの撮像素子１５０で観察対象部位の撮像および測定対象部位の分光測定を容易に行うことができる。
【００５７】
また、本実施の形態によれば、撮像光学系１８０の光路上には、通過する光束の面積を制限する開口部１８２ａを有する遮光マスク１８２が配置されている。この構成により、集光レンズ１８４を通過した光が届く範囲（光線到達領域）が撮像素子１５０の分光領域１５２に達することがなくなり、励起光を照射したときに、測定対象部位から放射される放射光の一部が撮像光学系１８０を介して分光領域１５２に入射してしまい、測定対象部位の分光測定に悪影響を及ぼしてしまうことを防止することができる。
【００５８】
［変形例］
なお、上記実施の形態では、撮像素子１５０は、モノクロタイプである例について説明したが、本発明はこれに限定されない。例えば、撮像素子１５０は、その撮像領域１５４上にカラーフィルター（図示せず）を貼り付けられたカラータイプであっても良い。但し、この場合は、分光領域１５２はカラーフィルタの光透過特性を事前に把握しておき、放射光の強度が正しくなるように換算することが好ましい。
【００５９】
また、上記実施の形態では、励起光光源２２４は、励起光の発光後、所定時間が経過した場合に励起光の発光動作を終了する例について説明したが、本発明はこれに限定されない。例えば、励起光光源２２４は、励起光の発光後、撮像素子１５０の分光領域１５２において所定光量以上の自家蛍光が受光された場合、または、ユーザーにより分光測定モードの終了指示が入力装置３００に入力された場合に励起光の発光動作を終了しても良い。
【００６０】
また、上記実施の形態では、挿入部１１０は、照明光ファイバー１４０および励起光ファイバー１４２を有する例について説明したが、本発明はこれに限定されない。例えば、挿入部１１０は、照明光ファイバー１４０および励起光ファイバー１４２の機能を兼ねる１つの光ファイバーを有しても良い。この場合、第１照明窓１１１および第２照明窓１１２の機能を兼ねる１つの照明窓を設置しても良い。
【００６１】
なお、本実施の形態においては、放射光が自家蛍光であるものとして説明したが、必ずしもこれに限るものではなく、散乱光など他の放射光を用いて測定するものであってもよい。
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６２】
１０  内視鏡装置
１００  内視鏡本体
１１０  挿入部
１１０ａ  基端部
１１０ｂ  先端部
１１０ｃ  操作可能部
１１１  第１照明窓
１１２  第２照明窓
１１３  第１観察窓
１１４  第２観察窓
１１５  鉗子チャンネル
１２０  操作部
１２０ａ  ノブ
１２０ｂ  導入口
１３０  ケーブル
１３５  光学ユニット
１４０  照明光ファイバー
１４２  励起光ファイバー
１５０  撮像素子
１５２  分光領域
１５４  撮像領域
１５６  回路基板
１６０  分光光学系
１６２  バンドパスフィルター
１６４  スリット
１６６  コリメートレンズ
１６８  回折格子
１７０  集光レンズ
１８０  撮像光学系
１８２  遮光マスク
１８２ａ  開口部
１８４  集光レンズ
２００  内視鏡プロセッサー
２１０  制御部
２１２  メモリ
２２０  光源部
２２２  照明光光源
２２４  励起光光源
２３０  分光解析部
２４０  画像処理部
３００  入力装置
４００  モニター
【図１】
2014046075.tif 000003
【図２】
2014046075.tif 000004
【図３】
2014046075.tif 000005
【図４】
2014046075.tif 000006